(57)【要約】  本発明は、少なくとも１つのパネル（１）と、少なくとも１つの冷媒通路（４）とを備えた、冷蔵器具、特に家庭用冷蔵器具に用いられる蒸発器（１０）に関する。パネル（１）は管（２）を位置決めするための収容部を有しており、該収容部が、前記少なくとも１つのパネル（１）に設けられた、前記管（２）の長手方向案内部を形成する少なくとも１つの突出部によって形成されており、該突出部に沿って前記管（２）が保持されている。管（２）は、たとえば温度センサのための保護管である。本発明は、このような蒸発器を備えた冷蔵器具、特に家庭用冷蔵器具にも関する。
2012510602.tif 000002
【特許請求の範囲】
【請求項１】
少なくとも１つのパネル（１）と、少なくとも１つの冷媒通路（４）とを備えた、冷蔵器具、特に家庭用冷蔵器具に用いられる蒸発器（１０）において、パネル（１）が、さらに、管（２）を位置決めするための収容部を有しており、該収容部が、前記少なくとも１つのパネル（１）に設けられた、前記管（２）の長手方向案内部を形成する少なくとも１つの突出部によって形成されており、該突出部に沿って前記管（２）が保持されていることを特徴とする、冷蔵器具に用いられる蒸発器。
【請求項２】
前記長手方向案内部が、パネル（１）に押込み成形された少なくとも１つの通路（６，７，９）により形成されており、該通路の通路壁に、前記管（２）が、長手方向で少なくとも所定の区分にわたって接触している、請求項１記載の蒸発器。
【請求項３】
前記長手方向案内部が、前記少なくとも１つの通路（９）に該通路（９）の長手方向に延びる１つの凹部（１２）によって押込み成形されており、該凹部（１２）内に前記管（２）が、長手方向で少なくとも所定の区分にわたって支持されている、請求項１記載の蒸発器。
【請求項４】
前記長手方向案内部が、少なくともほぼ平行な２つの通路（６，７）によって形成されており、両通路（６，７）の間に前記管（２）が、長手方向で少なくとも所定の区分にわたって支持されている、請求項１または２記載の蒸発器。
【請求項５】
前記管（２）が、前記長手方向案内部に当て付けられて、前記少なくとも１つのパネル（１）に接着式に固定されている、請求項１から４までのいずれか１項記載の蒸発器。
【請求項６】
接着式の固定のために、プラスチックから成る接着テープ（３）が働く、請求項５記載の蒸発器。
【請求項７】
接着式の固定のために、アルミニウム貼り合わせ部を備えた接着テープ（３）が働く、請求項５記載の蒸発器。
【請求項８】
前記管（２）が、温度センサのための保護管を形成している、請求項１から７までのいずれか１項記載の蒸発器。
【請求項９】
前記管（２）が、前記長手方向案内部内に埋め込まれている、請求項１から８までのいずれか１項記載の蒸発器。
【請求項１０】
当該蒸発器が、ロールボンド蒸発器またはＺボンド蒸発器として形成されており、該ロールボンド蒸発器またはＺボンド蒸発器内に、前記少なくとも１つの冷媒通路（４）の他に、前記管（２）のための長手方向案内部として働く、盲通路（６，７，９）として形成された少なくとも１つの通路が導入されている、請求項１から９までのいずれか１項記載の蒸発器。
【請求項１１】
請求項１から１０までのいずれか１項記載の蒸発器（１０）を有する冷蔵器具、特に家庭用冷蔵器具。
【発明の詳細な説明】
【技術分野】
【０００１】
本発明は、冷蔵器具、特に家庭用冷蔵器具に用いられる蒸発器であって、少なくとも１つのパネルと、少なくとも１つの冷媒通路とが設けられており、該冷媒通路を通って使用時に冷媒が循環するようになっている形式のものに関する。本発明は、冷蔵器具、特に家庭用冷蔵器具にも関する。
【０００２】
蒸発器パネルは公知先行技術において知られている。たとえば、蒸発器パネルは少なくとも２層型のプレートであり、この場合、両プレート層は圧延または類似の方法によって互いに結合されている。しかし、特殊な方法により、両プレート層の間には複数の通路を押込み成形するか、または「膨らまし」により形成することができる。こうして、複数の冷媒通路から成る適当なパターン、つまり「通路パターン」をパネルに加工成形することができる。プレート層が圧延により互いに結合される場合は、「ロールボンドパネル」とも呼ばれる。
【０００３】
種々の理由から、蒸発器に管、たとえば温度センサのための保護管または管状の温度センサを取り付けることが必要となり得る。公知先行技術においては、このような管が、位置固定のための別の付加保持部分と相まって接着によりパネルに固定される。また、パネルに管を螺合装着するためのクランプの使用も既に知られている。しかし、このことは複数の作業ステップを必要とする。
【０００４】
したがって、本発明の課題は、簡単に管を永続的に固定することのできるパネルを備えた蒸発器を提供することである。
【０００５】
この課題は、請求項１の特徴部に記載の特徴により解決される。本発明の有利な実施態様は、請求項２以下に記載されている。
【０００６】
パネルは、本発明によれば、管を位置決めするための収容部を有しており、この収容部は、前記少なくとも１つのパネルに設けられた、前記管の長手方向案内部を形成する少なくとも１つの突出部によって形成されており、該突出部に沿って前記管が保持されている。長手方向案内部により、管の位置が固定され、管は取付け時に突出部に押圧され得るので、取付け時に管がパネルに沿って滑りずれる恐れはない。こうして、パネルにおける管の取付けが著しく簡単にされる。
【０００７】
長手方向案内部が、パネルに押込み成形された少なくとも１つの通路により形成されており、該通路の通路壁に、前記管が、長手方向で少なくとも所定の区分にわたって接触していると有利である。このような通路は、前記少なくとも１つの冷媒通路の一部であるか、または特に管の位置決めのための収容部として設計された通路であってもよい。この通路はパネルに押込み成形され得るか、またはロールボンドパネルの場合に汎用されているように、２つのパネル層の間に「膨らまし」により形成されていてよい。通路は長手方向において少なくとも所定の区分にわたって、管と同じ形状を有していると有利である。管は通路壁に接触する。通路と管は、少なくとも両者が接触し合う区分においてほぼ真っ直ぐに形成されていると有利である。
【０００８】
長手方向案内部を形成するためには、目下、２つの有利な実施態様が考えられている：第１の実施態様では、長手方向案内部が１つの通路により形成され、この通路内に、この通路の長手方向に延びる１つの凹部が押込み成形されており、該凹部内に前記管が、長手方向で少なくとも所定の区分にわたって支持されている。この第１の実施態様では、たとえばその形状が管の形状に相当している通路が設けられている。この通路は、たとえばまずパネルの片側において、細長い隆起部として形成される。この隆起部の「稜線」に沿って、押込み成形された細長い凹部が形成される。こうして形成された収容部内に前記管が埋め込まれる。
【０００９】
第２の実施態様では、長手方向案内部が、少なくともほぼ平行な２つの通路によって形成されており、両通路の間に前記管が、長手方向で少なくとも所定の区分にわたって支持されている。平行な両通路はこの場合、パネルの片側において、ほぼ平行に延びる細長い２つの隆起部を形成しており、この場合、前記管は両隆起部の間の「谷部」に嵌り込む。すなわち、前記管は通路壁の外面に接触している。両通路は有利には互いに平行に形成されているが、しかし取り付けたい管の形状および大きさに応じて、互いに最大１０゜までの角度を成していてよい。両通路はそれぞれ少なくとも所定の区分において真っ直ぐに形成されていると有利である。
【００１０】
こうして形成された長手方向案内部により、パネルの規定の個所に管を当て付けることができる。この規定の個所において、前記管が、長手方向案内部に当て付けられて、前記少なくとも１つのパネルに接着式に固定されると有利である。このことは、たとえば接着テープを用いるか、または別の素材接続的な結合、たとえば溶接、ろう接等によっても行なわれ得る。
【００１１】
接着式の固定のために、接着テープが使用されると特に有利である。接着テープはプラスチックから成る接着テープまたはアルミニウム貼り合わせ部を備えた接着テープであると有利である。
【００１２】
前記管が、温度フィーラもしくは温度センサのための保護管を形成していると有利である。このような保護管内には、冷蔵器具のコンプレッサをオンオフ切換するサーモスイッチの毛細管が押し込まれる。択一的には、前記管が、電気的な線路またはこれに類するものを保護するためにも使用され得る。さらに、管自体が温度センサであってもよい。
【００１３】
パネルは２つのプレート層から成っていると有利である。両プレート層は、大体において互いに接触しているが、しかし少なくとも一方のプレート層では、前記少なくとも１つの通路の個所において通路中空室を形成するために膨らまされている。両プレート層の間に通路パターンが成形されるが、両プレート層は有利には鉄または特に有利にはアルミニウム合金から成っていると有利である。本発明によるパネルは公知の手段で、特に圧延結合によって製造され得る。
【００１４】
当該蒸発器が、ロールボンド蒸発器またはＺボンド蒸発器として形成されており、該ロールボンド蒸発器またはＺボンド蒸発器内に、前記少なくとも１つの冷媒通路の他に、前記管のための長手方向案内部として働く、盲通路として形成された少なくとも１つの通路が導入されていると有利である。このことには次のような利点がある。すなわち、管のための長手方向案内部を形成する通路が、冷媒通路の通路パターンと同じ形式でかつこの通路パターンと同時に成形され得る。「盲通路」とは、この１つまたは複数の通路が、冷媒のための通路パターンには接続されていないことを意味する。しかし、盲通路は、前記少なくとも１つの冷媒通路と同じ形式で形成されると有利である。これにより付加的な作業ステップが必要とならなくなる。
【００１５】
本発明の別の利点は、パネルが、膨らまし・打抜きプロセスの後に、もはや引き続き加工されなくて済むようになり、盲通路のフラットな形状に基づき、運搬中の破損がほとんど生ぜしめられなくなり、通路端部のシールがもはや必要でなくなることである。これにより、全体コストを著しく低減させることができる。
【００１６】
本発明は、本発明による蒸発器を有する冷蔵器具にも関する。特に有利には、冷蔵器具が家庭用冷蔵器具、特に冷蔵庫、冷凍冷蔵庫または冷凍冷蔵ケースである。
【００１７】
以下に、本発明の有利な実施形態を図面につき詳しく説明する。
【図面の簡単な説明】
【００１８】
【図１】本発明による蒸発器の部分平面図である。
【図２】図１のＡ−Ａ線に沿った横断面図である。
【図３】別の実施態様による案内溝と、この案内溝に固定された管とを示す横断面図である。
【００１９】
図１には、ロールボンドパネル１から成る蒸発器１０が示されている。ロールボンドパネル１は、上下に位置する２つのプレート層１ａ，１ｂ（図２参照）から形成されている。両プレート層１ａ，１ｂの間には、冷媒通路４が導入されている。この冷媒通路４の２つの蛇行線の間の中間スペースには、２つの盲通路６，７の間の凹部によって管２のための収容部が形成されている。両盲通路６，７は本発明における長手方向案内部を形成しており、この長手方向案内部に沿って管２が保持されている。この長手方向案内部内には管２が埋め込まれていて、接着テープ３によって固定されている。この接着テープ３はこの実施形態では、プラスチック製の接着テープとして形成されていて、上側のプレート層１ａに接着されている。
【００２０】
図２には、管２の固定部の横断面が拡大されて図示されている。上側のプレート層１ａは、膨出された２つの盲通路６，７を備えており、これらの盲通路６，７はそれぞれ両プレート層１ａ，１ｂの間に通路中空室１６，１７を形成している。両盲通路６，７はその中間スペースによって保護管２のための長手方向案内部を形成している。保護管２は接着テープ３によって長手方向案内部に固定されている。
【００２１】
図３には、やはりロールボンドパネル１に固定された管２の横断面図が示されている。しかし、固定は別の実施形態により行われている。この場合、長手方向案内部は唯一つの盲通路９によって形成される。この盲通路９は管２に比べて、前記両盲通路６，７よりも広幅に形成されている。盲通路９は両プレート層１ａ，１ｂの間に通路中空室１９を形成している。ほぼ盲通路９の中心線に沿って、通路壁には細長い凹部または溝１２が押込み成形されており、この凹部または溝１２が管２のための長手方向案内部を形成している。場合によっては、溝１２は最も低い個所で、下側のプレート層１ｂに接触していてもよい。
【００２２】
あとの製作ステップにおいて、たとえばサーモスイッチの毛細管が保護管２内に押し込まれ、この場合、この毛細管は、保護管２から間隔Ｘだけ突出する程度に保護管２内に押し込まれる。これにより、センサの適正な等温敷設（isotherm. Verlegung）の視覚的なコントロールを行うことができる。このセンサは管路４もしくはこの管路４に沿って管路４内を流れる冷媒の温度を検出するので、コンプレッサは温度に関連してオンオフ切換可能となる。
【図１】
2012510602.tif 000003
【図２】
2012510602.tif 000004
【図３】
2012510602.tif 000005
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
少なくとも１つのパネル（１）と、少なくとも１つの冷媒通路（４）とを備えた、冷蔵器具、特に家庭用冷蔵器具に用いられる蒸発器（１０）において、パネル（１）が、さらに、管（２）を位置決めするための収容部を有しており、該収容部が、前記少なくとも１つのパネル（１）に設けられた、前記管（２）の長手方向案内部を形成する少なくとも１つの突出部によって形成されており、該突出部に沿って前記管（２）が保持されており、前記長手方向案内部が、パネル（１）に押込み成形された少なくとも１つの通路（６，７，９）により形成されており、該通路の通路壁に、前記管（２）が、長手方向で少なくとも所定の区分にわたって接触しており、前記長手方向案内部が、前記少なくとも１つの通路（９）に該通路（９）の長手方向に延びる１つの凹部（１２）によって押込み成形されており、該凹部（１２）内に前記管（２）が、長手方向で少なくとも所定の区分にわたって支持されていることを特徴とする、冷蔵器具に用いられる蒸発器。
【請求項２】
少なくとも１つのパネル（１）と、少なくとも１つの冷媒通路（４）とを備えた、冷蔵器具、特に家庭用冷蔵器具に用いられる蒸発器（１０）において、パネル（１）が、さらに、管（２）を位置決めするための収容部を有しており、該収容部が、前記少なくとも１つのパネル（１）に設けられた、前記管（２）の長手方向案内部を形成する少なくとも１つの突出部によって形成されており、該突出部に沿って前記管（２）が保持されており、前記長手方向案内部が、少なくともほぼ平行な２つの通路（６，７）によって形成されており、両通路（６，７）の間に前記管（２）が、長手方向で少なくとも所定の区分にわたって支持されていることを特徴とする、冷蔵器具に用いられる蒸発器。
【請求項３】
前記管（２）が、前記長手方向案内部に当て付けられて、前記少なくとも１つのパネル（１）に接着式に固定されている、請求項１または２項記載の蒸発器。
【請求項４】
接着式の固定のために、プラスチックから成る接着テープ（３）が働く、請求項３記載の蒸発器。
【請求項５】
接着式の固定のために、アルミニウム貼り合わせ部を備えた接着テープ（３）が働く、請求項３記載の蒸発器。
【請求項６】
前記管（２）が、温度センサのための保護管を形成している、請求項１から５までのいずれか１項記載の蒸発器。
【請求項７】
前記管（２）が、前記長手方向案内部内に埋め込まれている、請求項１から６までのいずれか１項記載の蒸発器。
【請求項８】
当該蒸発器が、ロールボンド蒸発器またはＺボンド蒸発器として形成されており、該ロールボンド蒸発器またはＺボンド蒸発器内に、前記少なくとも１つの冷媒通路（４）の他に、前記管（２）のための長手方向案内部として働く、盲通路（６，７，９）として形成された少なくとも１つの通路が導入されている、請求項１から７までのいずれか１項記載の蒸発器。
【請求項９】
請求項１から８までのいずれか１項記載の蒸発器（１０）を有する冷蔵器具、特に家庭用冷蔵器具。
【手続補正２】
【補正対象書類名】明細書
【補正対象項目名】０００１
【補正方法】変更
【補正の内容】
【０００１】
本発明は、冷蔵器具、特に家庭用冷蔵器具に用いられる蒸発器であって、少なくとも１つのパネルと、少なくとも１つの冷媒通路とが設けられており、該冷媒通路を通って使用時に冷媒が循環するようになっている形式のものに関する。本発明は、冷蔵器具、特に家庭用冷蔵器具にも関する。
【手続補正３】
【補正対象書類名】明細書
【補正対象項目名】０００２
【補正方法】変更
【補正の内容】
【０００２】
蒸発器パネルは公知先行技術において知られている。たとえば、蒸発器パネルは少なくとも２層型のプレートであり、この場合、両プレート層は圧延または類似の方法によって互いに結合されている。しかし、特殊な方法により、両プレート層の間には複数の通路を押込み成形するか、または「膨らまし」により形成することができる。こうして、複数の冷媒通路から成る適当なパターン、つまり「通路パターン」をパネルに加工成形することができる。プレート層が圧延により互いに結合される場合は、「ロールボンドパネル」とも呼ばれる。
【手続補正４】
【補正対象書類名】明細書
【補正対象項目名】０００３
【補正方法】変更
【補正の内容】
【０００３】
種々の理由から、蒸発器に管、たとえば温度センサのための保護管または管状の温度センサを取り付けることが必要となり得る。公知先行技術においては、このような管が、位置固定のための別の付加保持部分と相まって接着によりパネルに固定される。また、パネルに管を螺合装着するためのクランプの使用も既に知られている。しかし、このことは複数の作業ステップを必要とする。
ドイツ連邦共和国特許出願公開第３９２８４７１号明細書には、冷蔵設備に用いられる蒸発器パネルが開示されている。このパネルは、メアンダ状に押込み成形された冷媒通路を備えた、互いに結合された２つの金属薄板から成っていて、付加的に、サーモスタットセンサを収容するための両側で開いたセンサ通路を有している。
ドイツ連邦共和国特許出願公開第１７５１７１３号明細書には、サーモスタットの、膨張液を有する温度センサを蒸発器に配置することが開示されている。
国際公開第２００８／０７１７３１号パンフレットには、下側のプレートと上側のプレートとを有する蒸発器が開示されている。上側のプレートには、蒸気状の冷媒のための通路が形成されている。
【手続補正５】
【補正対象書類名】明細書
【補正対象項目名】０００４
【補正方法】変更
【補正の内容】
【０００４】
したがって、本発明の課題は、簡単に管を永続的に固定することのできるパネルを備えた蒸発器を提供することである。
【国際調査報告】
2012510602.tif 000006
2012510602.tif 000007
2012510602.tif 000008
2012510602.tif 000009
2012510602.tif 000010
2012510602.tif 000011